【手続補正書】
【提出日】令和3年11月10日(2021.11.10)
【手続補正１】
【補正対象書類名】特許請求の範囲
【補正対象項目名】全文
【補正方法】変更
【補正の内容】
【特許請求の範囲】
【請求項１】
光を処理するためのシステムであって、前記システムは、主ビーム経路に沿ってシステム光のビームを供給するように構成されており、前記システム光が、第１のスペクトル分布を有する第１の光、第２のスペクトル分布を有する第２の光、及び第３のスペクトル分布を有する第３の光のうちの１つ以上を含み、前記第１のスペクトル分布、前記第２のスペクトル分布、及び前記第３のスペクトル分布が、互いに異なり、前記システムは、
１つ以上の固体光源を含み、スペクトルパワーの少なくとも８０％が、前記第１の光、前記第２の光、及び前記第３の光のうちの１つから成る、スペクトルパワー分布を有する一次光を含む、第１のビームを、第１のビーム経路に沿って供給するように構成され、及び、スペクトルパワーの少なくとも８０％が、前記第１の光、前記第２の光、及び前記第３の光のうちの他の２つから成る、スペクトル分布を有する複合光を含む、第２のビームを、第２のビーム経路に沿って供給するように構成されている、照明構成と、
複数のセグメントを含む光学フィルタシステムであって、前記複数のセグメントの２つ以上のセグメントが、前記複合光に対して異なる透過特性を有し、前記複数のセグメントの前記２つ以上のセグメントが、特に、前記一次光に対して透過性であり、前記システムの動作の間、前記光学フィルタシステムは、前記複数のセグメントの前記２つ以上のセグメントに、前記主ビーム経路を順次遮らせるように構成されており、時間周期の間、前記主ビーム経路が、第１のセグメントによって部分的に遮られ、第２のセグメントによって部分的に遮られる、光学フィルタシステムと、
前記時間周期の間、前記システム光のビームの前記システム光のスペクトルパワー分布の少なくとも８０％が前記一次光から成るように、前記照明構成及び前記光学フィルタシステムを制御するように構成されている、制御システムと、を備える、システム。
【請求項２】
（ｉ）一次光を生成するように構成されている第１の光源と、（ｉｉ）前記複合光を生成するように構成されている第２の光源とを備え、前記第２の光源が、ポンプ光源光を生成するように構成されているポンプ光源と、前記ポンプ光源光の少なくとも一部をルミネッセンス材料光に変換するように構成されているルミネッセンス材料とを含み、前記複合光が、前記ルミネッセンス材料光を含み、前記第１の光源が、固体光源を含み、前記第２の光源が、固体光源を含む、請求項１に記載のシステム。
【請求項３】
前記制御システムが、前記時間周期の第１の部分の間に、一次光を含む前記第１のビームを前記システムに供給させるように、及び、前記時間周期の同じ前記第１の部分の間に、前記複合光の前記第２のビームを供給しないように構成されている、請求項２に記載のシステム。
【請求項４】
動作の間、前記システム光のビームのシステム光が、前記一次光と前記複合光とを、同時に又は順次に含んでもよく、前記照明構成が、オプションとして１つ以上のルミネッセンス材料を使用して、前記第１の光、前記第２の光、及び前記第３の光のうちの１つ以上を生成するための、１つ以上の固体光源を含む、請求項１乃至３のいずれか一項に記載のシステム。
【請求項５】
前記照明構成が、前記第１のビーム及び前記第２のビームを、空間的に別々の位置で生成するように構成されており、前記システムが、ビーム経路組み合わせ位置において前記第１のビーム経路と前記第２のビーム経路とを前記主ビーム経路へと組み合わせるように構成されている、光学素子を更に備えるか、あるいは、前記照明構成が、前記第１のビーム及び前記第２のビームを交互に生成するように構成されている、請求項１乃至４のいずれか一項に記載のシステム。
【請求項６】
前記光学フィルタシステムが、前記複数のセグメントの前記セグメントに、前記ビーム経路組み合わせ位置の下流の前記主ビーム経路を順次遮らせるように構成されている、請求項５に記載のシステム。
【請求項７】
２つ以上のセグメントが、前記第１の光、前記第２の光、及び前記第３の光のうちの１つ以上に対して異なる透過特性を有し、少なくとも第１のセグメントが、前記一次光に対して透過性であり、かつ前記第１の光、前記第２の光、及び前記第３の光のうちの前記他の２つのうちの少なくとも一方に対して透過性であり、第２のセグメントが、前記一次光と、前記第１の光、前記第２の光、及び前記第３の光のうちの前記他の２つのうちの前記一方の少なくとも他方とに対して透過性である、請求項６に記載のシステム。
【請求項８】
前記第１のセグメント及び前記第２のセグメントの双方が、前記一次光に対して透過性であり、前記一次光が前記第１の光を含み、前記第１の光が青色光を含み、前記第１のセグメントが、前記第２の光に対して、前記第３の光に対するよりも高い透過率を有し、前記第２のセグメントが、前記第３の光に対して、前記第２の光に対するよりも高い透過率を有し、前記第２の光が緑色光を含み、前記第３の光が赤色光を含む、請求項６又は７のいずれか一項に記載のシステム。
【請求項９】
前記光学フィルタシステムが、前記複数のセグメントの前記セグメントに、前記ビーム経路組み合わせ位置の上流の前記第２のビーム経路を順次遮らせるように構成されている、請求項５に記載のシステム。
【請求項１０】
前記複合光が、前記スペクトルパワーの少なくとも８０％が前記第１の光、前記第２の光、及び前記第３の光のうちの前記他の２つから成る前記スペクトル分布を有し、２つ以上のセグメントが、前記他の２つに対して異なる透過特性を有し、少なくとも第１のセグメントが、前記他の２つのうちの一方に対して透過性であり、第２のセグメントが、前記他の２つのうちの他方に対して透過性である、請求項９に記載のシステム。
【請求項１１】
前記第１のセグメントが、前記第２の光に対して、前記第３の光に対するよりも高い透過率を有し、前記第２のセグメントが、前記第３の光に対して、前記第２の光に対するよりも高い透過率を有し、前記第２の光が緑色光を含み、前記第３の光が赤色光を含む、請求項９又は１０のいずれか一項に記載のシステム。
【請求項１２】
前記ビーム経路組み合わせ位置において前記第１のビーム経路と前記第２のビーム経路とを前記主ビーム経路へと組み合わせるように構成されている前記光学素子が、ダイクロイックミラーを含む、請求項５乃至１１のいずれか一項に記載のシステム。
【請求項１３】
前記光学フィルタシステムが、前記複数のセグメントを含む回転可能要素と、前記複数のセグメントに前記主ビーム経路又は前記第２のビーム経路を順次遮らせるために、前記回転可能要素を回転させるように構成されている回転子とを含む、請求項１乃至１２のいずれか一項に記載のシステム。
【請求項１４】
請求項１乃至１３のいずれか一項に記載のシステムを備える、投影システム又は照明器具。
【請求項１５】
１つ以上の固体光源を備え、主ビーム経路に沿ってシステム光のビームを供給するように構成されているシステムで、光を処理するための方法であって、前記システム光が、第１のスペクトル分布を有する第１の光、第２のスペクトル分布を有する第２の光、及び第３のスペクトル分布を有する第３の光のうちの１つ以上を含み、前記第１のスペクトル分布、前記第２のスペクトル分布、及び前記第３のスペクトル分布が、互いに異なり、前記方法は、
スペクトルパワーの少なくとも８０％が、前記第１の光、前記第２の光、及び前記第３の光のうちの１つから成る、スペクトルパワー分布を有する一次光を含む、第１のビームを、第１のビーム経路に沿って供給するステップ、及び、スペクトルパワーの少なくとも８０％が、前記第１の光、前記第２の光、及び前記第３の光のうちの他の２つから成る、スペクトル分布を有する複合光を含む、第２のビームを、第２のビーム経路に沿って供給するステップと、
前記主ビーム経路を順次遮るステップであって、時間周期の間、前記主ビーム経路が、光学フィルタシステムの第１のセグメントによって部分的に遮られ、前記光学フィルタシステムの第２のセグメントによって部分的に遮られ、前記第１のセグメント及び前記第２のセグメントが、前記複合光に対して異なる透過特性を有し、前記第１のセグメント及び前記第２のセグメントが、特に、前記一次光に対して透過性である、ステップと、
前記時間周期の間、前記システム光のビームの前記システム光のスペクトルパワー分布の少なくとも８０％が前記一次光から成るように、前記システム光のビームの前記システム光を制御するステップと、を含む、方法。